(57)【要約】【課題】  迅速に抽出でき、かつチューブ内の内容物残量が少ないチューブ容器絞り出し器具。【解決手段】  内容物が充填されたチューブ容器と、該チューブ容器を押圧しながら順次折り畳んで、内容物を絞り出す板材と、該板材にチューブ容器を固定するチューブ固定手段とからなり、（ａ）前記チューブ容器は、裾扁平部が板材表面と向かい合うように、板材上に少なくとも１本載置され、（ｂ）前記板材は、順次折り曲げ可能なように、折り曲げ部位に複数の溝部が形成され、（ｃ）前記チューブ固定手段は、板材の表面にチューブ容器が接着又は嵌合して固定されることを特徴とするチューブ容器絞り出し器具。【選択図】図１
2010260615.tif 000002
【特許請求の範囲】
【請求項１】
内容物が充填されたチューブ容器と、該チューブ容器を押圧しながら順次折り畳んで、内容物を絞り出す板材と、該板材にチューブ容器を固定するチューブ固定手段とからなり、
（ａ）前記チューブ容器は、裾扁平部が板材表面と向かい合うように、板材上に少なくとも１本載置され、
（ｂ）前記板材は、順次折り曲げ可能なように、折り曲げ部位に複数の溝部が形成され、
（ｃ）前記チューブ固定手段は、板材の表面にチューブ容器が接着又は嵌合して固定されることを特徴とするチューブ容器絞り出し器具。
【請求項２】
前記チューブ容器が板材上に２本載置され、１本のチューブ容器には染毛１剤、他の１本には染毛２剤が充填されることを特徴とする請求項１記載のチューブ容器絞り出し器具。
【請求項３】
前記溝部に、溝補強部が形成されることを特徴とする請求項１又は２記載のチューブ容器絞り出し器具。
【請求項４】
前記チューブ固定手段は、少なくとも端部の板材とチューブ容器を接着し、該接着した端部の板材を、内容物絞り出しの初期押圧手段とすることを特徴とするチューブ容器絞り出し器具。
【請求項５】
前記板材が複数の板片で構成され、該板片が基盤上に接着されると共に、該板片の間に溝部が形成されることを特徴とする請求項１、２又は４記載のチューブ容器絞り出し器具。
【請求項６】
前記板片と基盤が一体成形で製造されることを特徴とする請求項５記載のチューブ容器絞り出し器具。
【発明の詳細な説明】
【技術分野】
【０００１】
本発明は、チューブ容器絞り出し器具に関し、さらに詳しくは、少なくとも１本のチューブ容器から内容物を迅速に抽出でき、かつチューブ内の内容物残量が少ないチューブ容器絞り出し器具に関する。
【背景技術】
【０００２】
従来、チューブ容器から内容物を抽出する場合、一般的には手の指でチューブ容器の胴部を押圧して絞り出している。そして、２本のチューブ容器から各々の内容物を抽出し、使用時にこれらの内容物を混合して使用する場合、例えば染毛１剤と染毛２剤を使用時に混合して毛髪に塗る場合には、１本のチューブ容器の染毛剤を、１本ずつ手の指で押圧してトレイ内に絞り出し、トレイ内で混合して使用していた。又器具を使用して、２本のチューブ容器を、一度に絞り出す場合は、一般的には、２本のチューブ容器の口部を器具で固定し、かつチューブ容器を回転しながら巻上具等で巻いていくことにより、１剤、２剤の染毛剤を一度にトレイ内に絞り出していた。従来の特許公報としては、特許文献１及び文献２がある。
【先行技術文献】
【特許文献】
【０００３】
【特許文献１】実願昭６１−１１９２０８号
【特許文献２】実願昭６１−１１４９４２号
【発明の概要】
【発明が解決しようとする課題】
【０００４】
しかしながら、手の指でチューブ容器の胴部を押圧して絞り出す場合、２本のチューブ容器から染毛剤等の内容物を同量絞り出すのが困難であり、いずれかの内容物の容量が多くなったり、又絞り出すために時間がかかるという欠点があった。又従来、器具を使用して染毛剤等の内容物を絞り出す場合、器具の構造が複雑かつ部品点数も多いため、製造コストが高くなるという欠点があった。
この発明は、このような課題に着目してなされたものであり、チューブ容器から染毛剤等の内容物を迅速に抽出でき、又２本以上のチューブ容器にあっては、迅速かつ同量抽出できると共に、簡単な構造で部品点数を少なく安価に製造でき、さらには内容物の残量が少ないチューブ容器絞り出し器具を提供することを目的とする。
【課題を解決するための手段】
【０００５】
この課題を解決するため、請求項１記載の発明の解決手段は、内容物が充填されたチューブ容器と、このチューブ容器を押圧しながら順次折り畳んで、内容物を絞り出す板材と、この板材にチューブ容器を固定するチューブ固定手段とからなり、（ａ）チューブ容器は、裾部の扁平部が板材表面と向かい合うように、板材上に少なくとも１本載置され、（ｂ）板材は、順次折り曲げ可能なように、折り曲げ部位に複数の溝部が形成され、（ｃ）チューブ固定手段は、板材の表面にチューブ容器が接着又は嵌合して固定されることを特徴とするチューブ容器絞り出し器具である。
【０００６】
請求項２記載の発明の解決手段は、チューブ容器が板材上に２本載置され、１本のチューブ容器には染毛１剤、他の１本には染毛２剤が充填されることを特徴とするチューブ容器絞り出し器具である。
【０００７】
請求項３記載の発明の解決手段は、溝部に、溝補強部が形成されることを特徴とするチューブ容器絞り出し器具である。
【０００８】
請求項４記載の発明の解決手段は、前記チューブ固定手段において、少なくとも端部の板材とチューブ容器を接着し、該接着した端部の板材を、内容物絞り出しの初期押圧手段とすることを特徴とするチューブ容器絞り出し器具である。
【０００９】
請求項５記載の発明の解決手段は、板材が複数の板片で構成され、板片が基盤上に接着されると共に、板片の間に溝部が形成されることを特徴とするチューブ容器絞り出し器具である。
【００１０】
請求項６記載の発明の解決手段は、板片と基盤が一体成形で製造されることを特徴とするチューブ容器絞り出し器具である。
【発明の効果】
【００１１】
本発明に係るチューブ容器絞り出し器具は、チューブ容器から染毛剤等の内容物を迅速に抽出でき、又２本以上のチューブ容器にあっては、染毛剤等の内容物を、迅速かつ同量抽出できる効果を有する。又内容物の残量を少なくできると共に、構造が簡単で部品点数が少なく安価に製造することができる効果を奏する。
【図面の簡単な説明】
【００１２】
【図１】本発明に係るチューブ容器絞り出し器具の実施例１を示す平面図である図１（ａ）及び正面断面図である図１（ｂ）。
【図２】本発明に係るチューブ容器絞り出し器具の実施例２を示す平面図である図２（ａ）及び正面断面図である図２（ｂ）。
【図３】本発明に係るチューブ容器絞り出し器具の実施例３を示す平面図である図３（ａ）及び正面断面図である図３（ｂ）。
【図４】本発明に係るチューブ容器絞り出し器具の実施例４を示す平面図である図４（ａ）及び正面断面図である図４（ｂ）。
【図５】本発明に係るチューブ容器絞り出し器具で、チューブ容器を折り畳んで、内容物を絞り出している状態を示す斜視図である図５（ａ）（ｂ）（ｃ）。
【図６】本発明に係るチューブ容器絞り出し器具で、チューブ容器を折り畳んで、内容物を絞り出している状態を示す正面断面図である図６（ａ）（ｂ）（ｃ）。
【発明を実施するための形態】
【００１３】
以下、本発明の実施例の一例を図面に基づいて説明する。
【実施例１】
【００１４】
図１（ａ）（ｂ）は、この発明に係る実施例１を示す図面である。１は板材であり、ポリプロピレン等の合成樹脂の薄板、ボール紙、金属の薄板等の材料で造られている。板材１の肉厚は１〜３ｍｍが適する。そして、この板材１には、適宜間隔ごとに孔を開けた溝部２が形成されている。又チューブ容器３、４には、例えば各々染毛１剤（塩基性酸化染料）と染毛２剤（過酸化水素を主成分とする酸化剤）が充填され、図１（ａ）に示すように、２本のチューブ容器３、４の裾扁平部３ａ、４ａが、板材の表面と向かい合うように、板材１上に載置されている。チューブ容器３、４の裾扁平部３ａ、４ａの先端が、板材１の溝部２ａの左端上に位置するように載置され、接着剤等でチューブ容器３、４の胴部と板材１が接着される。接着されるチューブ容器は１本であってもよい。
【００１５】
図１（ａ）に示すように、例えば２４．５φのチューブ容器３、４の場合、図６（ｂ）に示す溝部２ａの幅ｓは、チューブ容器３、４胴部下側の内容物が絞り出されると共に、裾部を挟んで折り畳みが可能な間隙に構成されている。幅ｓは３〜８ｍｍが適する。又図６（ｃ）に示す溝部２ｂの幅ｔは、チューブ容器３、４の胴部中央部の内容物が絞り出されると共に、胴部を挟んで折り畳みが可能な間隙に構成されている。幅ｔは５〜１４ｍｍが適する。さらに、同様に図６（ｃ）に示す溝部２ｃの幅ｕは、チューブ容器３、４の胴部上方部の内容物が絞り出されると共に、胴部上方部を挟んで折り畳みが可能な間隙に構成されている。幅ｕは７〜１８ｍｍが適する。
【００１６】
このように、図５（ａ）（ｂ）（ｃ）及び図６（ａ）（ｂ）（ｃ）に示すように、板材１を溝部２で順次折り畳んで、チューブ容器３、４から内容物である染毛剤を、トレイ６に絞り出し、トレイ内で染毛剤を混合した後、毛髪に塗布することができる。図６（ｃ）に示すように、最後に板材１の中間部１ｃを押圧し、染毛剤を板材１の中間部１ｃと板材１の最終端部１ｄの間で絞り出すことにより、染毛剤をチューブ容器３、４から完全に絞り出すことができる。実施例１は、板材１の端部１ａとチューブ容器３、４を接着部５で接着し、接着した板材１の端部１ａを折り曲げて、内容物絞り出しの初期押圧手段としている。なお図６（ａ）（ｂ）（ｃ）に示すように、各々の溝部２ａ、２ｂ、２ｃには、図５に示すように溝部２の広がりを防止するために、溝部２を補強する溝補強部７が形成されてもよい。
【実施例２】
【００１７】
図２（ａ）（ｂ）は、この発明に係る実施例２を示す図面である。実施例１と異なる点は、板材が複数の板片１１で構成され、板片１１が折り曲げ可能な基盤１６上に接着されている点である。この基盤１６は、例えば、薄い合成樹脂フイルム、薄い金属板、薄いボール紙等で造られる。その他溝部１２ａ、１２ｂ、１２ｃの間隙（ｓ、ｔ，ｕ）は、実施例１と同様である。又チューブ容器１３、１４と板片１１の接着方法及内容物の絞り出し方法は、実施例１と同様である。実施例２の他の実施態様として、板材を構成する複数の板片１１と基盤１６が接着されないで、合成樹脂材料等で一体成形により製造されてもよい。なお、板片１１の肉厚は１〜３ｍｍ、基盤１６の肉厚は０．１〜２ｍｍが適する。板片１１と基盤１６が一体成形された場合の全体の肉厚は１〜５ｍｍが適する。
【実施例３】
【００１８】
図３（ａ）（ｂ）は、この発明に係る実施例３を示す図面である。実施例１、２と異なる点は、板材２１の中間部２１ｂとチューブ容器２３、２４を接着部２５において接着する点である。絞り出しは、板材２１の端部２１ａを折り曲げて、内容物絞り出しの初期押圧手段とするものである。これに対して、実施例１、２は、板材の端部とチューブ容器を接着し、接着した板材の端部をそのまま折り曲げて、内容物絞り出しの初期押圧手段とするものである。
【実施例４】
【００１９】
図４（ａ）（ｂ）は、この発明に係る実施例４を示す図面である。実施例１、２、３と異なる点は、板材３１の端部３１ａと板材３１の中間部３１ｂの両方を、接着部３５、３６で接着し、板材３１の端部３１ａを折り曲げて、内容物絞り出しの初期押圧手段とするものである。なお、板材とチューブ容器の接合手段（接着部）は、接着剤による接着の他に、一方のチューブ容器の胴部に係合部を形成し、他方、板材の表面に形成した係合部と係合することによりチューブ容器を板材に接合する手段、その他チューブ容器に係合部を形成しないで、板材の表面にのみに、チューブ容器の係合部を形成する手段等を用いることにより接合されてもよい（図示せず）。
【産業上の利用可能性】
【００２０】
本発明に係るチューブ容器絞り出し器具は、チューブ容器から内容物を迅速に、かつ同量抽出できるので、特に染毛剤の抽出に広く利用することができる。そして、チューブ容器内の内容物の残量を極力少なくでき、又簡単な構造で安価に製造することができるので、その他薬品、食料品等のチューブ容器の絞り出し器具として広く用いることができる。
【符号の説明】
【００２１】
板材  １、２１、３１
板材の端部  １ａ
溝部  ２ａ，１２ａ，２２ａ，３２a
溝部  ２ｂ，１２ｂ，２２ｂ，３２ｂ
溝部  ２ｃ，１２ｃ，２２ｃ，３２ｃ
チューブ容器  ３、１３、２３、３３
裾扁平部  ３ａ、１３ａ
チューブ容器  ４、１４、２４、３４
裾扁平部  ４ａ、１４ａ
チューブ固定手段  ５，１５，２５，３５，３６
溝補強部  ７
板片  １１
基盤  １６
【図１】
2010260615.tif 000003
【図２】
2010260615.tif 000004
【図３】
2010260615.tif 000005
【図４】
2010260615.tif 000006
【図５】
2010260615.tif 000007
【図６】
2010260615.tif 000008